(57)【要約】【課題】高精細度プラズマディスプレイパネルであっても、走査電極の外部への引き出し配線部分の信頼性を向上させることを目的とする。【解決手段】前面基板の端部に形成される複数の接続端子１１と、この接続端子１１と前記走査電極２とをそれぞれ電気的に接続する複数の中間接続配線１２とを有し、前記中間接続配線１２は、一端が前記接続端子１１に接続されるとともに他端が前記走査電極２に向かって直線状に延びた第１配線１２ａと、この第１配線１２ａの他端に一端が接続されるとともに他端が前記走査電極２に接続された第２配線１２ｂとで構成し、かつ前記第１配線１２ａと第２配線１２ｂとの接続点１２ｃは、前記走査電極２と維持電極３との間の中央部を通るライン上に位置するとともに、複数のそれぞれの接続点１２ｃの間隔が同一となるように形成した。【選択図】図４
2009193694.tif 000002
【特許請求の範囲】
【請求項１】
走査電極および維持電極からなる表示電極を複数形成した前面基板と、データ電極を前記表示電極と交差する方向に複数形成した背面基板とを対向配置したプラズマディスプレイパネルであって、前記前面基板の端部に形成されかつ外部の駆動回路に接続するための配線部材が接続される複数の接続端子と、この接続端子と前記走査電極とをそれぞれ電気的に接続しかつ前記前面基板上の走査電極の端部と前記接続端子との間の領域に形成した複数の中間接続配線とを有し、前記中間接続配線は、一端が前記接続端子に接続されるとともに他端が前記走査電極に向かって直線状に延びた第１配線と、この第１配線の他端に一端が接続されるとともに他端が前記走査電極に接続された第２配線とで構成し、かつ前記第１配線と第２配線との接続点は、前記走査電極と維持電極との間の中央部を通るライン上に位置するとともに、複数のそれぞれの接続点の間隔が同一となるように形成したことを特徴とするプラズマディスプレイパネル。
【請求項２】
走査電極および維持電極は、走査電極−維持電極−維持電極−走査電極の配列で繰り返すパターンで前面基板に形成したことを特徴とする請求項１に記載のプラズマディスプレイパネル。
【発明の詳細な説明】
【技術分野】
【０００１】
本発明は、表示デバイス等に用いるＡＣ型のプラズマディスプレイパネルに関する。
【背景技術】
【０００２】
プラズマディスプレイパネル（以下、「ＰＤＰ」と略記する）として代表的な交流面放電型ＰＤＰは、対向配置された前面板と背面板との間に多数の放電セルが形成されている。前面板は、１対の走査電極と維持電極とからなる表示電極がガラス製の前面基板上に互いに平行に複数対形成され、それら表示電極を覆うように誘電体層および保護層が形成されている。背面板は、ガラス製の背面基板上に複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。そして、表示電極とデータ電極とが立体交差するように前面板と背面板とが対向配置されて密封され、内部の放電空間には放電ガスが封入されている。ここで表示電極とデータ電極とが対向する部分に放電セルが形成される。このような構成のＰＤＰにおいて、各放電セル内でガス放電により紫外線を発生させ、この紫外線で赤、緑、青各色の蛍光体を励起発光させてカラー表示を行っている。
【０００３】
表示電極は、例えば透明電極とバス電極とを積層した電極から形成されている。そしてバス電極は、黒色の酸化ルテニウム等を含みＰＤＰを表示面側から見たときに表示電極を黒く見せるための黒色層と、導電性の高いＡｇ等を主成分とし表示電極の抵抗値を下げる役割を果たす導電層とを備えている。
【０００４】
表示電極のそれぞれは、前面基板の画像表示領域外の周辺端部に設けられた複数の接続端子それぞれに接続されている。この接続端子は、ＰＤＰを駆動するための外部の駆動回路と接続し、駆動電圧波形をそれぞれの走査電極に印加するために設けられている（例えば、特許文献１参照）。
【特許文献１】特開２００７−３３５０９０号公報
【発明の開示】
【発明が解決しようとする課題】
【０００５】
しかしながら、ＰＤＰの高精細度化が進むにつれて、走査電極の本数が増えることにより、走査電極間の配線ピッチが狭くなるとともに、走査電極に接続される接続端子、および走査電極と接続端子との間を接続する配線パターンのピッチも狭くなり、特に配線パターンを形成するに当たり、配線間の接触や断線が増加する可能性が高くなり、走査電極の外部への引き出し配線部分の信頼性が低下するという課題が発生していた。
【０００６】
本発明はこれらの課題に鑑みなされたものであり、高精細度のＰＤＰにおいて、走査電極の外部への引き出し配線部分の信頼性を向上させることを目的とする。
【課題を解決するための手段】
【０００７】
この課題を解決するために本発明は、走査電極および維持電極からなる表示電極を複数形成した前面基板と、データ電極を前記表示電極と交差する方向に複数形成した背面基板とを対向配置したプラズマディスプレイパネルであって、前記前面基板の端部に形成されかつ外部の駆動回路に接続するための配線部材が接続される複数の接続端子と、この接続端子と前記走査電極とをそれぞれ電気的に接続しかつ前記前面基板上の走査電極の端部と前記接続端子との間の領域に形成した複数の中間接続配線とを有し、前記中間接続配線は、一端が前記接続端子に接続されるとともに他端が前記走査電極に向かって直線状に延びた第１配線と、この第１配線の他端に一端が接続されるとともに他端が前記走査電極に接続された第２配線とで構成し、かつ前記第１配線と第２配線との接続点は、前記走査電極と維持電極との間の中央部を通るライン上に位置するとともに、複数のそれぞれの接続点の間隔が同一となるように形成したものである。
【発明の効果】
【０００８】
本発明によれば、高精細度のＰＤＰにおいて、走査電極の外部への引き出し配線部分の信頼性を向上させることが可能となる。特に、走査電極および維持電極を、走査電極−維持電極−維持電極−走査電極の配列で繰り返すパターンで形成した場合には、走査電極の配線ピッチが広くなったり、狭くなったり変化することになるが、本発明においては、中間接続配線の接続点を基準にして、走査電極の外部への電気的引き出し配線構造を設計することとなり、接続点と接続端子とを接続する第１配線の配線ピッチは、走査電極の配線ピッチの変化の影響を受けることなく、一定のピッチで形成することができ、配線間の接触や断線が増加する可能性が高くなるのを防ぐことができ、走査電極の外部への引き出し配線部分の信頼性を確保することができる。
【発明を実施するための最良の形態】
【０００９】
以下、本発明の実施の形態におけるＰＤＰについて、図面を用いて説明する。
【００１０】
図１は本発明の実施の形態におけるＰＤＰの構造を示す分解斜視図である。ＰＤＰは、対向配置された前面板と背面板との間に多数の放電セルが形成されている。
【００１１】
前面板は、ガラス製の前面基板１上に１対の走査電極２と維持電極３とからなる表示電極が互いに平行に複数対形成されている。この走査電極２および維持電極３は、走査電極２−維持電極３−維持電極３−走査電極２の配列で繰り返すパターンで形成されている。そして、それら表示電極を覆うように誘電体層４およびＭｇＯからなる保護層５が形成されている。走査電極２および維持電極３は、それぞれＩＴＯ、ＳｎＯ2、ＺｎＯ等の導電性金属酸化物からなる透明電極２ａ、３ａ上にＡｇからなるバス電極２ｂ、３ｂを形成することにより構成されている。
【００１２】
背面板は、ガラス製の背面基板６上に、複数の互いに平行なＡｇを主成分とする導電性材料からなるデータ電極７を形成し、そのデータ電極７を覆うように誘電体層８を形成するとともに、さらにその上に井桁状の隔壁９を形成し、そして誘電体層８の表面と隔壁９の側面とに、赤、緑、青各色の蛍光体層１０を形成することにより構成されている。
【００１３】
そして、走査電極２および維持電極３とデータ電極７とが立体交差するように、前面板と背面板とが対向配置されて周辺部が密封され、内部の放電空間に放電ガスを封入することによりパネルが構成されている。ここで、走査電極２および維持電極３とデータ電極７とが対向する部分に放電セルが形成されている。
【００１４】
図２は本発明の実施の形態におけるＰＤＰの電極配列図である。行方向に長いｎ本の走査電極Ｙ１、Ｙ２、Ｙ３・・・Ｙｎ（図１の２）およびｎ本の維持電極Ｘ１、Ｘ２、Ｘ３・・・Ｘｎ（図１の３）が配列され、列方向に長いｍ本のデータ電極Ａ１・・・Ａｍ（図１の７）が配列されている。そして、１対の走査電極Ｙ１および維持電極Ｘ１と１つのデータ電極Ａ１とが交差した部分に放電セルが形成され、放電セルは放電空間内にｍ×ｎ個形成されている。そしてこれらの電極のそれぞれは、前面板、背面板の画像表示領域外の周辺端部に設けられた接続端子それぞれに接続されている。
【００１５】
図３は本発明の実施の形態におけるＰＤＰにおいて、前面板の走査電極側の接続端子の配置を示す概略平面図、図４はその図３の接続端子周辺の要部を拡大して示す平面図である。
【００１６】
この図３、図４に示すように、前記前面基板１の端部には、走査電極２を外部の駆動回路に接続するためのＡｇなどの導電部材からなる複数の接続端子１１が行方向に所定のピッチで配列して形成されている。この接続端子１１は、外部の駆動回路との接続に使用するフレキシブル配線板などの配線部材の配線パターンの本数に合わせて、複数本を１群として、前面基板１の端部に形成されている。
【００１７】
また、前記前面基板１上の走査電極２の端部と前記接続端子１１との間の領域には、複数の接続端子１１と前記走査電極２のバス電極２ｂとをそれぞれ電気的に接続するためのＡｇなどの導電部材からなる複数の中間接続配線１２が形成されている。
【００１８】
この中間接続配線１２は、一端が前記接続端子１１に接続されるとともに他端が前記走査電極２に向かって直線状に延びた第１配線１２ａと、この第１配線１２ａの他端に一端が接続されるとともに他端が前記走査電極２のバス電極２ｂに接続された第２配線１２ｂとで構成されており、これにより中間接続配線１２は、第１配線１２ａと第２配線１２ｂとの接続点１２ｃを境にして屈曲した形状となっている。さらに、中間接続配線１２の第１配線１２ａと第２配線１２ｂとの接続点１２ｃは、複数のそれぞれの接続点１２ｃの間隔ｌが同一となるように形成されている。なお、複数のそれぞれの接続点１２ｃの間隔ｌは全く同一でなくてもよく、工業生産上のばらつきの範囲でほぼ同一であればよい。
【００１９】
また、図５には、その中間接続配線１２を拡大して示している。この図５に示すように、前記中間接続配線１２の前記第１配線１２ａと第２配線１２ｂとの接続点１２ｃは、放電セルを構成する走査電極２と維持電極３との間の中央部を通るライン上に位置するように形成されている。なお、接続点１２ｃは、走査電極２と維持電極３との間の中央部を通るライン上に位置するように形成するが、上記接続点１２ｃ間の間隔ｌと同様、完全に中央部でなくてもよく、工業生産上のばらつきの範囲でほぼ中央部に位置すればよい。
【００２０】
さらに、図５に示すように、前記中間接続配線１２の第２配線１２ｂは、走査電極２のバス電極２ｂとの接続部側の幅が、第１配線１２ａとの接続部１２ｃ側の幅よりも狭く、しかも走査電極２のバス電極２ｂとの接続部側から第１配線１２ａとの接続部１２ｃ側に向って徐々に幅が広くなるように形成されている。
【００２１】
ここで、図示はしていないが、維持電極３側については、ＰＤＰの駆動上、共通に接続する構造が採用されており、本実施の形態においても、維持電極３側の外部への引き出し構造は、前面基板１の前記接続端子１１とは反対側の端部に、全ての維持電極３のバス電極３ｂが共通に接続されるＡｇなどの導電部材からなる共通パターンを形成し、その共通パターンに維持電極３のバス電極３ｂを接続する構成としている。
【００２２】
以上のように、本発明のＰＤＰにおいては、前面基板１の端部に形成される複数の接続端子１１と走査電極２とをそれぞれ電気的に接続する複数の中間接続配線１２を設け、かつその中間接続配線１２は、一端が前記接続端子１１に接続されるとともに他端が前記走査電極２に向かって直線状に延びた第１配線１２ａと、この第１配線１２ａの他端に一端が接続されるとともに他端が前記走査電極２のバス電極２ｂに接続された第２配線１２ｂとで構成し、かつ前記第１配線１２ａと第２配線１２ｂとの接続点１２ｃは、前記走査電極２と維持電極３との間の中央部を通るライン上に位置するとともに、複数のそれぞれの接続点１２ｃの間隔が同一となるように形成したものであり、中間接続配線１２の接続点１２ｃを基準にして、走査電極２の外部への電気的引き出し配線構造を設計すればよく、走査電極２の配線ピッチが狭くなっても、接続点１２ｃと接続端子１１とを接続する第１配線１２ａの配線ピッチは、走査電極２の配線ピッチの影響を最小限にして、外部への電気的引き出し配線構造を実現することができる。
【００２３】
特に、上記実施の形態で説明したように、走査電極２および維持電極３を、走査電極２−維持電極３−維持電極３−走査電極２の配列で繰り返すパターンで形成した場合には、走査電極２の配線ピッチが広くなったり、狭くなったり変化することになるが、本発明においては、上述のように、中間接続配線１２の接続点１２ｃを基準にして、走査電極２の外部への電気的引き出し配線構造を設計することとなり、接続点１２ｃと接続端子１１とを接続する第１配線１２ａの配線ピッチは、走査電極２の配線ピッチの変化の影響を受けることなく、一定のピッチで形成することができ、配線間の接触や断線が増加する可能性が高くなるのを防ぐことができ、走査電極の外部への引き出し配線部分の信頼性を確保することができる。
【産業上の利用可能性】
【００２４】
以上のように本発明は、高精細度ＰＤＰであっても、電極の外部への引き出し配線部分の信頼性を確保することができるという有用な発明である。
【図面の簡単な説明】
【００２５】
【図１】本発明の実施の形態におけるＰＤＰの構造を示す分解斜視図
【図２】同ＰＤＰの電極配列図
【図３】同ＰＤＰの走査電極の引き出し配線側の状態を示す概略平面図
【図４】図３の要部の詳細を示す平面図
【図５】図４の要部を拡大して示す拡大図
【符号の説明】
【００２６】
１  前面基板
２  走査電極
３  維持電極
２ａ、３ａ  透明電極
２ｂ、３ｂ  バス電極
６  背面基板
７  データ電極
１１  接続端子
１２  中間接続配線
１２ａ  第１配線
１２ｂ  第２配線
１２ｃ  接続点
【図１】
2009193694.tif 000003
【図２】
2009193694.tif 000004
【図３】
2009193694.tif 000005
【図４】
2009193694.tif 000006
【図５】
2009193694.tif 000007